(57)【要約】      （修正有）【課題】表示による注意喚起をして従来よりも安全性の高い加熱調理器を得る。【解決手段】開口部が形成され、鍋５を収容する本体１と、鍋５を加熱する加熱コイル９と、加熱コイル９の駆動によって本体１の内部から発生する蒸気を排出する蒸気排出口７が形成され、開口部を開閉自在に覆う蓋２と、加熱調理器の各種情報を表示し、蓋２の上面に設けられた表示手段４と、表示手段４とは別に、蓋２の上面であって蒸気排出口７の周辺に設けられたＬＥＤ１００，１０１と、を備えた。【選択図】図１
2014217604.tif 000002
【特許請求の範囲】
【請求項１】
開口部が形成され、鍋を収容する本体と、
前記鍋を加熱する加熱手段と、
前記加熱手段の駆動によって前記本体の内部から発生する蒸気を排出する蒸気排出口が形成され、前記開口部を開閉自在に覆う蓋と、
加熱調理器の各種情報を表示し、前記蓋の上面に設けられた表示手段と、
前記表示手段とは別に、前記蓋の上面であって前記蒸気排出口の周辺に設けられた発光手段と、を備えた
ことを特徴とする加熱調理器。
【請求項２】
前記発光手段は、
前記蒸気排出口から排出される蒸気の状態に応じて制御される
ことを特徴とする請求項１に記載の加熱調理器。
【請求項３】
前記発光手段は、
前記蒸気排出口の温度、前記鍋の内部圧力、蒸気が排出されるタイミング、前記加熱手段の駆動状態、蒸気の排出完了に伴う部品の着脱許可、及び加熱調理器の異常の有無、の少なくともいずれか一つに応じて制御される
ことを特徴とする請求項１に記載の加熱調理器。
【請求項４】
前記発光手段は、
前記蓋を閉じた状態で、該発光手段の発光面が前記本体の前面側に向くように設けられている
ことを特徴とする請求項１〜３の何れか一項に記載の加熱調理器。
【請求項５】
前記発光手段は、
前記蓋を閉じた状態で、該発光手段の発光面が前記蒸気排出口から排出される蒸気の方向に指向性を持たせて設けられている
ことを特徴とする請求項１〜４の何れか一項に記載の加熱調理器。
【請求項６】
前記発光手段の背面には、前記発光手段を放熱する放熱部が設けられ、
前記放熱部は、前記蒸気排出口から排出される蒸気の方向とは異なる方向に設けられる
ことを特徴とする請求項１〜５の何れか一項に記載の加熱調理器。
【請求項７】
前記鍋の内部の温度を検知する鍋温度検知手段、及び前記鍋の内部の圧力を検知する圧力検知手段の少なくとも何れかと、
前記鍋温度検知手段の検知情報、及び前記圧力検知手段の検知情報の少なくとも何れかに基づいて、前記鍋から前記蒸気排出口に至るまでの経路を開放又は閉鎖する開閉装置とを備えた
ことを特徴とする請求項１〜６の何れか一項に記載の加熱調理器。
【請求項８】
前記発光手段はＬＥＤである
ことを特徴とする請求項１〜７の何れか一項に記載の加熱調理器。
【請求項９】
前記発光手段は複数設けられる
ことを特徴とする請求項１〜８の何れか一項に記載の加熱調理器。
【請求項１０】
前記発光手段は、
該発光手段の点灯時間、点滅間隔、色、点灯あるいは点滅させる数、及び発光方向の少なくとも何れかが変化される
ことを特徴とする請求項１〜９の何れか一項に記載の加熱調理器。
【請求項１１】
前記発光手段の点灯状態と連動して音又は音声を報知する報知手段を備えた
ことを特徴とする請求項１〜１０の何れか一項に記載の加熱調理器。
【発明の詳細な説明】
【技術分野】
【０００１】
本発明は、加熱調理器に関する。
【背景技術】
【０００２】
従来、「外蓋カバー３５に設けたヒンジ受部の略反対側に位置して、当該外蓋カバー３５の前方には蓋体係合部としてのクランプ４４を設ける。このクランプ４４は、図２にも示すように、蓋体３１の内部に設けたクランプシャフト４５を中心として、外蓋カバー３５に対し回転自在に軸支される。なお、クランプシャフト４５は、その軸が蓋体３１の水平左右方向にほぼ沿って配置される。蓋体３１の前方上面には、蓋開ボタン４６が露出状態で配設されており、この蓋開ボタン４６の下側に、前記クランプ４４の基端部４４Ａが配置される。また蓋体３１の内部には、前記クランプ４４の基端部４４Ａを蓋開ボタン４６側に付勢するバネなどのクランプ付勢手段（図示せず）が設けられており、これにより蓋開ボタン４６を常時上方に押し上げようとする力が作用する。」炊飯器があった（例えば、特許文献１参照）。
【先行技術文献】
【特許文献】
【０００３】
【特許文献１】特許第４３２９１２７号公報（［００３８］、図１）
【発明の概要】
【発明が解決しようとする課題】
【０００４】
このように、特許文献１の炊飯器は、蓋体係合部としてクランプを備える。このため、容器内部に大きな圧力がかかっている間に、蓋体の開放による高温蒸気や高温液体の急激な排出を避けるために、蓋開ボタンをクランプで押せなくするようにして、蓋体の開放を規制している。
【０００５】
しかしながら、特許文献１においては、目立たせるような警告を表示することで、使用者が排気口に近づかないように注意を喚起することが出来ない。特に、使用者を排気口に近づけたくない運転状況（例えば排気口から蒸気が排出されるタイミング、あるいは排気口から蒸気が排出される前のタイミング）のような場合に、使用者が排気口に近づいてしまう可能性がある。このため、特許文献１では、安全性の向上の点で課題が残っている。
【０００６】
本発明は、上述のような課題を背景としてなされたものであり、表示による注意喚起をして従来よりも安全性の高い加熱調理器を得ることを目的とする。
【課題を解決するための手段】
【０００７】
本発明に係る加熱調理器は、開口部が形成され、鍋を収容する本体と、前記鍋を加熱する加熱手段と、前記加熱手段の駆動によって前記本体の内部から発生する蒸気を排出する蒸気排出口が形成され、前記開口部を開閉自在に覆う蓋と、加熱調理器の各種情報を表示し、前記蓋の上面に設けられた表示手段と、前記表示手段とは別に、前記蓋の上面であって前記蒸気排出口の周辺に設けられた発光手段と、を備えたものである。
【発明の効果】
【０００８】
本発明によれば、表示手段とは別に、蓋の上面であって蒸気排出口の周辺に設けられた発光手段を備える。このため、使用者の身体が蒸気排出口に近づかないように使用者に注意喚起することができる。したがって、表示により注意喚起をして従来よりも安全性の高い加熱調理器を得ることができる。
【図面の簡単な説明】
【０００９】
【図１】本発明の実施の形態１に係る加熱調理器５０の要部側断面図である。
【図２】本発明の実施の形態１に係る加熱調理器５０の斜視図である。
【図３】本発明の実施の形態１に係る加熱調理器５０の制御ブロック図である。
【図４】本発明の実施の形態１に係る加熱調理器５０の状態表である。
【図５】本発明の実施の形態１に係る加熱調理器５０のＬＥＤ１００，１０１の点灯パターン表である。
【図６】本発明の実施の形態１に係る加熱調理器５０の要部斜視図の別の一例である。
【発明を実施するための形態】
【００１０】
実施の形態１．
図１は本発明の実施の形態１に係る加熱調理器５０の要部側断面図である。図２は本発明の実施の形態１に係る加熱調理器５０の斜視図である。加熱調理器５０は、本体１、蓋２、鍋５、制御手段１６等を備える。
【００１１】
本体１は、例えば押しボタン式で構成される蓋開閉手段１３と、操作パネル３用の基板（図示省略）とを備え、開口部が形成されている。本体１には、この開口部を開閉自在に覆う蓋２が取り付けられる。本体１の内部には、鍋５を設置する空間が形成されている。
【００１２】
蓋２は、蓋ヒンジ１４を介して開閉自在に本体１に取り付けられる。蓋２の上面には操作パネル３が設けられている。操作パネル３は、例えば押しボタン式の入力手段２９と、入力手段２９によって入力された設定状態及び運転状態を表示する表示手段４と、を備える。操作パネル３の操作信号は、操作パネル３用の基板に入力され、操作パネル３用の基板に入力された信号は、制御手段１６に入力される。
【００１３】
蓋２が本体１を覆った状態で、蓋開閉手段１３のボタンが押されると、蓋２と本体１との係合関係が解除される。そして、蓋２は、蓋ヒンジ１４周辺に設けられたバネ（図示省略）の復元力で開放される。蓋開閉手段１３の周辺には、蓋開閉手段１３の開放を規制する蓋ロック手段１５（図３）が設けられている。例えば、加熱調理器５０の内圧が上昇している場合には、蓋ロック手段１５（図３）が、蓋２の開放を規制するため、安全性を高めることができる。蓋２には、炊飯時に発生する蒸気を放出するための蒸気カートリッジ６が設けられる。蒸気カートリッジ６に蒸気排出口７が形成されている。なお、蓋２に蒸気排出口７が形成されていてもよい。この場合には、蓋２及び蒸気カートリッジ６が、本発明の蓋に相当する。
【００１４】
鍋５は、その一部または全部が、磁性を有する材質で構成された、被加熱物が投入される部材であり、誘導加熱によって加熱されるようになっている。鍋５は、例えば、被加熱物が投入された状態で、本体１内部にあるコイルベース１０の中に挿入されて設置され、この状態で加熱調理が開始される。コイルベース１０の外側には、被加熱物を加熱する加熱手段である加熱コイル９が設置されている。インバータ（図示省略）で駆動された高周波電流を加熱コイル９に流すことで、誘導加熱されて鍋５が発熱する。また、加熱調理器５０は、加熱手段である補助ヒータ１２（図３）と、加熱コイル９及び補助ヒータ１２に電力を供給するための電源装置２７（図３）とを備える。加熱コイル９は、制御手段１６によって駆動制御される。
【００１５】
制御手段１６は、操作パネル３を介して入力される使用者からの指示、各種センサの検知情報に基づいて加熱調理器５０の運転を制御するものであり、本体１の背面に設けられる基板ボックス１７の内部に収納されている。また、加熱調理器５０は、制御手段１６、並びに鍋温度検知手段１１、鍋内温度検知手段１８、圧力検知手段２１、計時手段２６、報知音発生手段２８、弁開放検知手段３０及び蒸気カートリッジ温度検知手段３１を備える。これらの詳細については、後述する図３を用いて説明する。
【００１６】
鍋５の周辺は、シール材であるパッキン８ａ，８ｂと内蓋３２とによって密閉される。パッキン８ａ，８ｂは、被加熱物から発生した蒸気を逃がさないようにするための部材である。このようにパッキン８ａ，８ｂを設けることで、鍋５を加熱して被加熱物から発生する蒸気は、鍋５内部から逃げることがなくなり、鍋５内部の内圧が上昇する。鍋５内の内圧が上昇すると、被加熱物の沸騰温度が上昇するため、沸騰状態とならず、１００℃以上の高温で加熱することができる。したがって、大気圧の１００℃で沸騰することでは得られない食感や仕上がり等を得ることができる。鍋５内の圧力は、調圧弁１９で調整されるようになっている。
【００１７】
調圧弁１９は、蓋２に設けられた錘式のものであり、開放部にかかる内圧と錘の重量を適切に設定することで定圧化できる。調圧弁１９は、鍋５の内部が一定の圧力を超えると開放され、圧力が逃がされるようになっている。このため、鍋５は、その内部が一定の圧力以上には上がらないように保持されている。
【００１８】
なお、調圧弁１９は、制御手段１６からの信号により電流を付与されるソレノイド２０で強制的に開放することもできる。ソレノイド２０は電流が付与されると、先端部がソレノイド２０本体内部へ引き込まれる、あるいは伸びる方式となっており、電流ＯＮ、ＯＦＦを切り替えることで、調圧弁１９を開閉することができる。すなわち、ソレノイド２０は、鍋５から蒸気排出口７に至るまでの経路を開放又は閉鎖する。例えば、ソレノイド２０の先端部が調圧弁１９の錘を押すことで、調圧弁１９を介して経路が開放される。また、例えば、ソレノイド２０の先端部が縮むことで、調圧弁１９の錘が戻って経路が閉鎖される。制御手段１６は、鍋温度検知手段１１及び圧力検知手段２１の少なくとも何れかの検知情報に基づいて、ソレノイド２０に電流を付与するか否かを決定する。なお、ソレノイド２０が、本発明の開閉装置に相当する。
【００１９】
調圧弁１９が開放されると、鍋５内部の蒸気は、蓋２の上面中央に設けられた蒸気カートリッジ６内へ噴出される。蒸気カートリッジ６は、噴出する蒸気の勢いを弱めるとともに、噴出した蒸気の一部を凝縮して復水する機能を有する。勢いが弱められた蒸気は、蒸気排出口７から本体１外へ排出される。蒸気カートリッジ６は、鍋５内の蒸気の成分により、汚れやスケールなどの付着が考えられるため、定期的に清掃するのが望ましい。
【００２０】
調圧弁１９が詰まる、あるいは開放不能となる場合を想定し、本実施の形態１では、安全弁２２を設けている。安全弁２２は、鍋５内の圧力が異常に高くなることを抑制する弁である。安全弁２２としては、調圧弁１９が内圧により開放される圧力より高い圧力にて上昇して開放するような開放弁方式や、通常の内圧では上がりえない温度となった場合に溶解して開放するような溶解弁方式のものがある。図１には、安全弁２２を開放弁方式で構成した例を示している。
【００２１】
復水弁２３は、内蓋３２に設けられ、蒸気カートリッジ６及びその周辺で凝縮した水分を、鍋５内に返す機能を有するものである。ここで、鍋５内に返される水分には、蒸気内に含まれるうまみ成分が含まれる場合がある。このため、うまみ成分を含んだ水を、復水弁２３で鍋５の内部すなわち被加熱物に帰すことで、被加熱物の味を向上させることができる。蒸気カートリッジ６の近傍で且つ本体１に正対した状態において、蒸気カートリッジ６の奥側及び手前側に、それぞれＬＥＤ１００，１０１が取り付けられている。
【００２２】
ＬＥＤ１００，１０１は、その発光面が加熱調理器５０の前面側（図１の紙面右側）に向くように設置され、蒸気排出口７からの蒸気の排出状態を点灯状態で示す発光手段である。ＬＥＤ１００は、発光部１００ａ及び放熱部１００ｂを備える。ＬＥＤ１０１は、発光部１０１ａ及び放熱部１０１ｂを備える。ＬＥＤ１０１は、ＬＥＤ１００よりも加熱調理器５０の前面側に設けられている。なお、蓋２を閉じた状態で、ＬＥＤ１００，１０１の発光面が蒸気排出口７の開口面と同一方向を向くように設けられていてもよい。なお、上述した発光手段は、ＬＥＤ１００，１０１に限定されるものではなく、有機ＥＬ素子、ハロゲンランプ等によって構成してもよい。
【００２３】
発光部１００ａ，１０１ａおよびその周辺は、略透明な高耐熱樹脂で密閉状態に構成され、温度や蒸気からの影響を受けない構造となっている。一方で、放熱部１００ｂ、１０１ｂはそれぞれ発光部１００ａ，１０１ａの裏側に設置され、本体１内の冷却ファン（図示省略）の冷却風による通風冷却状態や、大気に開放された放冷状態に設置する構成をとることで、十分に発光部１００ａ，１０１ａを冷却する効果を得られる形状で設置される。また、ＬＥＤ１００，１０１の背面に、ＬＥＤ１００，１０１を冷却する放熱部１００ｂ，１０１ｂが設けられ、放熱部１００ｂ，１０１ｂは、蒸気排出口７から排出される蒸気の方向とは異なる方向に設置される。このようにして、ＬＥＤ１００，１０１の寿命が長く保たれ、高信頼性を維持することができる。
【００２４】
ＬＥＤ１０１には導光板２５が設けられている。導光板２５は樹脂にアルミめっき等の光を反射するコーティングが施されたものである。発光部１０１ａから上方に照射された光は、本体１の手前側と蒸気カートリッジ６側の両方に向けて照射される。このように、一つのＬＥＤ１０１で、使用者に見やすい手前側、及び蒸気に乱反射することで蒸気自体を確認しやすくなる効果を見込める蒸気カートリッジ６側の両方に照射することが可能となる上に、放熱部１０１ｂが高温となる蒸気カートリッジ６側に向くことがないため、冷却効率を高めることが可能となる。すなわち、ＬＥＤ１００，１０１は、蓋２を閉じた状態で、ＬＥＤ１０１の発光面が蒸気排出口７から排出される蒸気の方向に指向性を持つように配置されている。
【００２５】
図３は本発明の実施の形態１に係る加熱調理器５０の制御ブロック図である。
制御手段１６は、制御手段１６に入力された情報に基づいて、表示手段４、加熱コイル９、補助ヒータ１２である熱源の制御、蓋ロック手段１５（安全装置）、報知音発生手段２８、及びＬＥＤ１００，１０１を制御する。制御手段１６は、例えば、この機能を実現する回路デバイスなどのハードウェアや、マイコンやＣＰＵなどの演算装置上で実行されるソフトウェアで構成される。
【００２６】
制御手段１６に入力される情報としては、例えば、操作パネル３の入力手段２９の入力情報、鍋温度検知手段１１の検知情報、鍋内温度検知手段１８の検知情報、圧力検知手段２１の検知情報、計時手段２６の検知情報、弁開放検知手段３０の検知情報及び蒸気カートリッジ温度検知手段３１の検知情報である。
【００２７】
鍋温度検知手段１１は、例えば、本体１の底面からバネで上方に付勢され、鍋５に接触することで温度を検知するサーミスタで構成される。鍋温度検知手段１１は、例えば鍋５に対する温度制御に用いられる。鍋内温度検知手段１８は、鍋５内の雰囲気温度を検知するものであり、例えばサーミスタ、又は赤外線センサで構成される。鍋５内の温度は大気圧では略１００℃以上に上昇しないが、内圧が高まることで１００℃以上にも上昇するため、その上昇温度を検知することで内圧を推定することもできる。
【００２８】
圧力検知手段２１は、鍋５内部の圧力を検知する検知手段であり、例えば感圧素子やひずみゲージで構成される。圧力検知手段２１は、事前に設定した閾値以上の圧力を検知した際に、調圧弁１９の開放や加熱のＯＦＦなどを判断するために用いられる。上述の調圧弁１９、安全弁２２と相俟って、二重、三重の安全対策となる。
【００２９】
計時手段２６は、運転状態や加熱状態の時間をカウントするものであり、例えばタイマで構成される。弁開放検知手段３０は、例えば、ソレノイド２０のＯＮ、ＯＦＦを検知することで、調圧弁１９の開放、閉鎖を検知する検知手段である。蒸気カートリッジ温度検知手段３１は、例えば蒸気カートリッジ６の温度を接触式で検知するサーミスタである。なお、必ずしも接触式であることに限定されず、非接触の赤外線センサなどであってもよい。
【００３０】
制御手段１６は、例えば、操作パネル３にある入力手段２９から入力された情報、及び電源装置２７から得た電力に基づいて、加熱コイル９、補助ヒータ１２などの加熱源へ電力を供給する制御を実施する。そして、制御手段１６は、加熱状態に応じて運転状態を表示手段４に表示させ、加熱調理器５０の状態を使用者に報知する。状態によっては、制御手段１６は、報知音発生手段２８を、操作指示、警報を発生するように制御する。
【００３１】
報知音発生手段２８は、設定状態や運転状態に合わせて、使用者に機器の状態を報知する報知手段であり、例えばスピーカーで構成される。報知音発生手段２８は、例えば、ＬＥＤ１００，１０１の点灯状態と連動し、ブザー音、音声ガイド等を報知する。これにより、効果的に使用者に注意喚起することができ、目の不自由な人にとっても使いやすくなる。
【００３２】
蒸気カートリッジ６は、蒸気が排出された直後に蒸気による熱伝達を受けて、高温になる場合がある。ここで、蒸気カートリッジ６は、加熱調理器５０の上面に位置しているため、使用者が触れる可能性があることが想定される。このため、蒸気カートリッジ６が高温であるとき、使用者が蒸気カートリッジ６に触れない、あるいは近寄らないように注意を促すことで安全性を向上することができる。本実施の形態１では、蒸気カートリッジ６の温度を検知する蒸気カートリッジ温度検知手段３１を設け、蒸気カートリッジ６の温度を直接検知し、正確に蒸気カートリッジ６の温度情報を把握している。
【００３３】
そして、例えば、制御手段１６は、蒸気カートリッジ温度検知手段３１の検知情報に基づいて、ＬＥＤ１００，１０１、及び報知音発生手段２８を制御する。具体的には、制御手段１６は、蒸気カートリッジ温度検知手段３１の検知温度が閾値温度を超えたとき、ＬＥＤ１００，１０１を発光させ、警告する音声を報知するように報知音発生手段２８を制御する。これにより、加熱調理器５０の安全性を高めることができる。
【００３４】
図４は本発明の実施の形態１に係る加熱調理器５０の状態表である。図４は、制御手段１６の状態判定結果と、状態判定結果に基づく点灯パターンを示している。図４に示されるように、状態１〜状態１２の各状態に対応して、調圧弁（ソレノイド電流）、加熱時間（タイマ）、鍋内温度（温度センサ）、蒸気カートリッジ温度（温度センサ）、鍋内圧力（圧力センサ）、熱源（ＩＨコイル電流）、状態判定、及び点灯パターンが示されている。
【００３５】
図４中で、「ＯＰＥＮ」は調圧弁１９が開放されていることを意味し、「ＣＬＯＳＥ」は調圧弁１９が閉鎖されていることを意味し、「ＨＩ」は、検知手段の検知値が閾値よりも高いことを意味し、「ＬＯＷ」は、検知手段の検知値が閾値よりも低いことを意味し、「ＯＮ」は加熱中であることを意味し、「ＯＦＦ」は加熱停止中であることを意味し、「−」は状態参照しないことを意味する。
【００３６】
制御手段１６は、図３で説明した各検知手段の情報に基づいて、現在の蒸気カートリッジ６（蒸気排出口７）周辺の状態を判定し、ＬＥＤ１００，１０１を、判定結果に応じた点灯パターン「Ａ」〜「Ｈ」の何れかで点灯させるように制御する。各種点灯パターンの具体的な内容については、後述する図５を用いて説明する。
【００３７】
状態１は、調圧弁１９が開放された「ＯＰＥＮ」の状態であり、加熱時間が閾値を超えた「ＨＩ」の状態である。このため、制御手段１６は、加熱調理器５０が「蒸気排出中」あるいは「蒸気排出可能性有（内圧上昇）」と判定し、使用者に対して点灯パターン「Ａ」で注意喚起するよう、ＬＥＤ１００，１０１を制御する。
【００３８】
状態２は、調圧弁１９が開放された「ＯＰＥＮ」の状態であり、鍋内温度が閾値を超えた「ＨＩ」の状態である。このため、制御手段１６は、加熱調理器５０が「蒸気排出中」あるいは「蒸気排出可能性有（内圧上昇）」と判定し、使用者に対して点灯パターン「Ａ」で注意喚起するよう、ＬＥＤ１００，１０１を制御する。
【００３９】
状態３は、調圧弁１９が開放された「ＯＰＥＮ」の状態であり、鍋内圧力が閾値を超えた「ＨＩ」の状態である。このため、制御手段１６は、加熱調理器５０が「蒸気排出中」あるいは「蒸気排出可能性有（内圧上昇）」と判定し、使用者に対して点灯パターン「Ａ」で注意喚起するよう、ＬＥＤ１００，１０１を制御する。
【００４０】
このように、状態１〜状態３において、制御手段１６は、調圧弁１９の開閉状態以外にそれぞれ異なる検知情報を参照し、加熱調理器５０が「蒸気排出中」あるいは「蒸気排出可能性有（内圧上昇）」であると判定している。このように、複数の検知手段のうち何れかが故障を起こした場合であっても、故障した検知手段以外の検知手段を状態判定に用い、同一の状態であることを判定することができるため、蒸気カートリッジ６の状態をより正確に把握することができ、安全性を高めることができる。
【００４１】
状態４は、蒸気カートリッジ６の温度が「ＨＩ」の状態である。このため、制御手段１６は、加熱調理器５０が「蒸気口高温」であると判定し、使用者に対して点灯パターン「Ｂ」で注意喚起するよう、ＬＥＤ１００，１０１を制御する。
【００４２】
状態５は、調圧弁１９が閉じた「ＣＬＯＳＥ」の状態であり、加熱時間が閾値を超えた「ＨＩ」の状態であり、熱源が「ＯＮ」の状態である。このため、制御手段１６は、加熱調理器５０が「蒸気排出直前」であると判定し、使用者に対して点灯パターン「Ｃ」で注意喚起するよう、ＬＥＤ１００，１０１を制御する。
【００４３】
状態６は、調圧弁１９が閉じた「ＣＬＯＳＥ」の状態であり、鍋内温度が閾値を超えた「ＨＩ」の状態であり、熱源が「ＯＮ」の状態である。このため、制御手段１６は、加熱調理器５０が「蒸気排出直前」であると判定し、使用者に対して点灯パターン「Ｃ」で注意喚起するよう、ＬＥＤ１００，１０１を制御する。
【００４４】
状態７は、調圧弁１９が閉じた「ＣＬＯＳＥ」の状態であり、鍋内圧力が閾値を超えた「ＨＩ」の状態であり、熱源が「ＯＮ」の状態である。このため、制御手段１６は、加熱調理器５０が「蒸気排出直前」であると判定し、使用者に対して点灯パターン「Ｃ」で注意喚起するよう、ＬＥＤ１００，１０１を制御する。
【００４５】
このように、状態５〜状態７では、蒸気が蒸気排出口７から排出される直前の状態であることが分かる。
【００４６】
状態８は、調圧弁１９が閉じた「ＣＬＯＳＥ」の状態であり、鍋内圧力が閾値を超えた「ＨＩ」の状態であり、熱源が「ＯＦＦ」の状態である。このため、制御手段１６は、加熱調理器５０が「圧力付与による省エネ加熱中」であると判定し、使用者に対して点灯パターン「Ｄ」で注意喚起するよう、ＬＥＤ１００，１０１を制御する。
【００４７】
このように、状態８においては、状態１〜状態７のような注意喚起ではなく、運転状態を表示しており、調圧弁１９が閉じた状態かつ鍋内部の圧力が高まっている状態であることを示している。被加熱物を加熱し、調圧弁１９を密閉することで、適度の高温、高圧状態に維持したまま、熱源からのエネルギー供給はＯＦＦとすることで余熱にて加熱を実施する省エネ加熱状態であることを表示でき、使用者に電気料金抑制や環境貢献などの達成感を与える狙いがある。
【００４８】
状態９は、鍋内温度が閾値以下の「ＬＯＷ」の状態であり、熱源が「ＯＮ」の状態である。このため、制御手段１６は、加熱調理器５０が「機器異常１（熱源ｏｒ温度センサに不具合の疑い）」であると判定し、使用者に対して点灯パターン「Ｅ」で注意喚起するよう、ＬＥＤ１００，１０１を制御する。
【００４９】
状態１０は、鍋内圧力が閾値以下の「ＬＯＷ」の状態であり、熱源が「ＯＮ」の状態である。このため、制御手段１６は、加熱調理器５０が「機器異常２（調圧弁合ｏｒパッキンｏｒ圧力センサに不具合の疑い）」であると判定し、使用者に対して点灯パターン「Ｆ」で注意喚起するよう、ＬＥＤ１００，１０１を制御する。
【００５０】
状態９、状態１０はそれぞれ機器の不具合が推定される情報を示しており、加熱しているのに内圧が上がらない、加熱しているのに温度が上がらない、という状態である。このような場合においては、使用者に注意深く機器を操作するように誘導し、表示手段４及び報知音発生手段２８を同時に用いて、エラーである旨を報知することが好ましい。
【００５１】
状態１１は、蒸気カートリッジ温度が閾値以下の「ＬＯＷ」の状態であり、熱源が「ＯＦＦ」の状態である。このため、制御手段１６は、加熱調理器５０が「蒸気口低温（安全に蒸気口着脱可能）」であると判定し、使用者に対して点灯パターン「Ｇ」で注意喚起するよう、ＬＥＤ１００，１０１を制御する。なお、蒸気口着脱可能とは、蓋２に蒸気カートリッジ６が設けられるときには、蒸気カートリッジ６が着脱可能であることを指し、蒸気カートリッジ６が、本発明の部品に相当する。また、蒸気口着脱可能とは、蒸気カートリッジ６が設けられず、蓋２に蒸気排出口７が設けられるときには、蓋２が開閉可能であることを指し、蓋２が、本発明の部品に相当する。
【００５２】
状態１２は、鍋内圧力が閾値以下の「ＬＯＷ」の状態であり、熱源が「ＯＦＦ」の状態である。このため、制御手段１６は、加熱調理器５０が「鍋内圧力低下（安全に蓋開閉可能）」であると判定し、使用者に対して点灯パターン「Ｈ」で注意喚起するよう、ＬＥＤ１００，１０１を制御する。
【００５３】
状態１１、状態１２については、鍋内の圧力及び鍋内の温度が十分に下がっているため、制御手段１６は、鍋内が安全な状態であることを示すような判定を行っている。このように、加熱調理後、調圧弁１９を開放し、内圧を逃がした後、蒸気カートリッジ６の温度も十分に下がっていることを使用者に報知することができ、使用者の安心感を高めることができる。
【００５４】
なお、図４の状態判定の欄に示される文言が、表示手段４に表示されるようにしてもよい。このようにすれば、使用者は、表示手段４の表示内容を確認して、ＬＥＤ１００，１０１の点灯状態の意味を把握することができる。
【００５５】
図５は本発明の実施の形態１に係る加熱調理器５０のＬＥＤ１００，１０１の点灯パターン表である。図５に示されるように、図４で示した点灯パターン「Ａ」〜「Ｈ」に対応して、色、点滅／点灯、点滅スピード、報知音、及び優先順位が示されている。
【００５６】
なお、点灯パターンの点灯色は、注意喚起の度合が強い順に「赤」、「黄」、「緑」である。
また、点灯パターンの点滅／点灯、点滅スピードは、注意喚起の度合が強い順に「速」で「点滅」、「遅」で「点滅」、「点灯」である。
また、点灯パターンの報知音は、注意喚起の度合が強い順に「ＯＮ」、「ＯＦＦ」である。
【００５７】
また、「優先順位」は、その注意換気の度合を数値で示したものであり、数値が小さいほど、注意喚起の度合が強いことを意味している。このように優先順位を規定することで、加熱調理器５０が状態１〜状態１２の複数に該当するような場合であっても、制御手段１６は、該当する状態に対応する、最も優先順位が高い点灯パターンで注意喚起する。このため、最も危険な状態を想定した点灯パターンによる報知が行われ、安全性を高めることができる。
【００５８】
例えば、点灯パターンＡは、色が「赤」、点滅／点灯が「点滅」、点滅スピードが「遅」、報知音が「点灯に連動してＯＮ」、優先順位が「２」である。ここで、点灯パターンＡは、上述したように、「蒸気排出中」あるいは「蒸気排出可能性有」に対応する点灯パターンである。このため、ＬＥＤ１００，１０１は、注意喚起の度合いが最も強い赤色で点滅する。したがって、使用者は、蒸気排出口７付近が高温で危険であることを認識でき、使用者が高温の蒸気に近づいて火傷する危険性を低減できる。
【００５９】
また、例えば、点灯パターンＣは、色が「赤」、点滅／点灯が「点滅」、点滅スピードが「速」、報知音が「点灯に連動してＯＮ」、優先順位が「１」である。ここで、点灯パターンＣに対応する「蒸気排出直前」においては、点灯パターンＡに対応する「蒸気排出中」のように、蒸気が既に排出されている状態を視覚的に把握できるような状態でない。このため、点灯パターンＣの状態は、点灯パターンＡの状態よりも注意することが望ましい状態である。したがって、点灯パターンＡよりも点滅を速くして、使用者に対してより注意喚起するように構成している。
【００６０】
また、例えば、点灯パターンＧは、色が「緑」、点滅／点灯が「点灯」、報知音が「ＯＦＦ」、優先順位が「８」である。上述したように、点灯パターンＧは、状態１１、すなわち「蒸気口低温」を示す状態であり、状態１〜状態１２の中で最も安全である。このため、ＬＥＤ１００，１０１は、注意喚起の度合いが最も弱い緑色で点灯する。
【００６１】
以上のように、本発明の実施の形態１に係る加熱調理器５０は、開口部が形成され、鍋５を収容する本体１と、鍋５を加熱する加熱コイル９と、加熱コイル９の駆動によって本体１の内部から発生する蒸気を排出する蒸気排出口７が形成され、開口部を開閉自在に覆う蓋２と、加熱調理器の各種情報を表示し、蓋２の上面に設けられた表示手段４と、表示手段４とは別に、蓋２の上面であって蒸気排出口７の周辺に設けられたＬＥＤ１００，１０１と、を備えた。このため、使用者の身体が蒸気排出口７に近づかないように使用者に注意喚起することができる。したがって、表示により注意喚起をして従来よりも安全性の高い加熱調理器を得ることができる。
【００６２】
なお、図６に示されるように、ＬＥＤ１０１の前方に、発光時に文字を浮き上がらせて表示する文字表示部１０１ｃを設けてもよい。このようにすれば、文字で使用者に注意喚起を促すことができるため、より高温時の注意喚起に効力を発揮することとなる。
【００６３】
また、図６に示されるように、蒸気排出口７の両側面にＬＥＤ１０２、１０３を設けてもよい。このようにして、使用者は、ＬＥＤの点灯状態を各方向から視認することができる。したがって、安全性、利便性をより高めることができる。
【００６４】
また、蒸気が蒸気排出口７から排出されている場合には、ＬＥＤ１００，１０１の両方を点灯させることで、蒸気への注目度をより高め、蒸気が排出されていない場合には、ＬＥＤ１００又はＬＥＤ１０１のみを点灯させることで、過度なアイキャッチを抑制するようにしてもよい。
【００６５】
また、ＬＥＤ１００，１０１，１０２，１０３は、上述したような、使用者に注意喚起する以外の意味合いを持たせて点灯させてもよく、例えば、加熱調理の工程、段階を示す意味合いで点灯させることもできる。例えば、点灯パターンＧである場合のみ、ＬＥＤ１００，１０１の点灯色を「緑」としているが、「省エネ加熱中」において、ＬＥＤ１００，１０１を「緑」で点滅させて、使用者への省エネへの達成感を与えてもよい。ここで「省エネ加熱中」とは、鍋内の圧力を高めて高温状態を維持したまま、熱源への入力をなくすことで加熱状態を維持する状態である。
【産業上の利用可能性】
【００６６】
本発明の活用例として、業務用及び家庭用の加熱調理器、特に、鍋の内圧を高めて利用する加熱調理器の安全性向上に適用することが可能である。
【符号の説明】
【００６７】
１  本体、２  蓋、３  操作パネル、４  表示手段、５  鍋、６  蒸気カートリッジ、７  蒸気排出口、８ａ、８ｂ  パッキン、９  加熱コイル、１０  コイルベース、１１  鍋温度検知手段、１２  補助ヒータ、１３  蓋開閉手段、１４  蓋ヒンジ、１５  蓋ロック手段、１６  制御手段、１７  基板ボックス、１８  鍋内温度検知手段、１９  調圧弁、２０  ソレノイド、２１  圧力検知手段、２２  安全弁、２３  復水弁、２５  導光板、２６  計時手段、２７  電源装置、２８  報知音発生手段、２９  入力手段、３０  弁開放検知手段、３１  蒸気カートリッジ温度検知手段、３２  内蓋、５０  加熱調理器、１００，１０１，１０２，１０３  ＬＥＤ、１００ａ，１０１ａ  発光部、１００ｂ，１０１ｂ  放熱部、１０１ｃ  文字表示部。
【図１】
2014217604.tif 000003
【図２】
2014217604.tif 000004
【図３】
2014217604.tif 000005
【図４】
2014217604.tif 000006
【図５】
2014217604.tif 000007
【図６】
2014217604.tif 000008